(57)【要約】【課題】遊技盤の電気部品から延びる配線を裏ユニットの外側に引き出すにあたり、円滑に配線の引出作業を行え、美観も保てるパチンコ遊技機とする。【解決手段】遊技盤１０に設けられる第１の電気部品３０と、遊技盤の裏面側に取り付けられる裏ユニット２０と、その外側に設けられる第２の電気部品４０とを備え、第１の電気部品から遊技盤の裏面側に延出する配線Ｌを裏ユニットの内側から外側に引き出して第２の電気部品に接続するパチンコ遊技機で、裏ユニットには、その外縁２３から内側方向に延設されて遊技盤側の面が開口する溝部１１０と、その開口の少なくとも一部を覆う蓋部１２０と、溝部の内側方向の端部に設けられる配線入口部１３０と、溝部における裏ユニットの外縁に開口する配線出口部１４０とを有する配線挿通部１００を備え、第１の電気部品から延びる配線が配線入口部から溝部を通り配線出口部から裏ユニットの外側に引き出される。【選択図】図５
2013244262.tif 000002
【特許請求の範囲】
【請求項１】
遊技盤と、該遊技盤に設けられる第１の電気部品と、前記遊技盤の裏面側に取り付けられる裏ユニットと、該裏ユニットの外側に設けられる第２の電気部品とを備え、前記第１の電気部品から前記遊技盤の裏面側に延出する配線を前記裏ユニットの内側から外側に引き出して前記第２の電気部品に接続するパチンコ遊技機において、
前記裏ユニットには、
該裏ユニットの外縁から内側方向に延設されて前記遊技盤側の面が開口する溝部と、
該溝部の前記開口の少なくとも一部を覆う蓋部と、
前記溝部における前記裏ユニットの内側方向の端部に設けられる配線入口部と、
前記溝部における前記配線入口部が設けられる側の端部と反対側の端部に設けられ、前記裏ユニットの外縁に開口する配線出口部と、
を有する配線挿通部を備えており、
前記第１の電気部品から前記遊技盤の裏面側に延出する前記配線が、前記配線挿通部の前記配線入口部から挿入されて前記溝部内を通り、前記配線出口部から前記裏ユニットの外側に引き出されて前記第２の電気部品に接続されることを特徴とするパチンコ遊技機。
【請求項２】
遊技盤と、該遊技盤に設けられる第１の電気部品と、前記遊技盤の裏面側に取り付けられる裏ユニットと、該裏ユニットの外側に設けられる第２の電気部品とを備え、前記第１の電気部品から前記遊技盤の裏面側に延出する配線を前記裏ユニットの内側から外側に引き出して前記第２の電気部品に接続するパチンコ遊技機において、
前記裏ユニットには、
該裏ユニットの外縁から内側方向に延設された筒状部と、
該筒状部における前記裏ユニットの内側方向の端部に設けられる配線入口部と、
前記筒状部における前記配線入口部が設けられる側の端部と反対側の端部に設けられ、前記裏ユニットの外縁に開口する配線出口部と、
を有する配線挿通部を備えており、
前記第１の電気部品から前記遊技盤の裏面側に延出する前記配線が、前記配線挿通部の前記配線入口部から挿入されて前記筒状部内を通り、前記配線出口部から前記裏ユニットの外側に引き出されて前記第２の電気部品に接続されることを特徴とするパチンコ遊技機。
【請求項３】
前記溝部又は前記筒状部における前記配線入口部側の端面に壁部が設けられると共に、前記配線入口部が遊技盤側の面に開口して設けられており、
前記壁部、又は、前記溝部若しくは前記筒状部における前記配線入口部の開口と対向する面に、前記配線入口部から挿入された前記配線を前記配線出口部方向に導く傾斜面部を有することを特徴とする請求項１又は２に記載のパチンコ遊技機。
【発明の詳細な説明】
【技術分野】
【０００１】
本発明はパチンコ遊技機に関し、特に、配線を介して電気部品を電気的に接続するパチンコ遊技機に関する。
【背景技術】
【０００２】
従来、パチンコ遊技機では、遊技盤の裏面側に裏ユニットが取り付けられている。また、遊技盤には入賞口センサ、入賞装置等の電気部品が設けられており、電気部品は裏ユニットの外側に配置される制御基板等の他の電気部品と配線を介して電気的に接続されている。ここで、遊技盤の電気部品と裏ユニットの外側の他の電気部品とを配線を介して電気的に接続する際には、予め遊技盤の電気部品に配線の一端が接続されており、裏ユニットの遊技盤への取付後に配線の他端が裏ユニットの外側の他の電気部品に接続されるものである。
【０００３】
このように配線を裏ユニットの外側の他の電気部品に接続する際には、配線を裏ユニットの外側に引き出す必要があり、従来のパチンコ遊技機では、裏ユニットの外側部分の前後方向に貫通孔が穿設されており、その貫通孔に遊技盤の電気部品に一端が接続された配線を挿通して裏ユニットの外側に引き出すようにしていた（例えば、特許文献１（段落番号［０１１５］、図１０）参照）。
【０００４】
また、従来の他のパチンコ遊技機では、遊技盤の裏面に裏ユニットの内側から外側にかけて配線収納溝を延設しており、その配線収納溝に遊技盤の電気部品に一端が接続された配線を収納して裏ユニットの外側へ引き出すようにしていた（例えば、特許文献２，３参照）。
【先行技術文献】
【特許文献】
【０００５】
【特許文献１】特開２０１０−１６２２２９号公報
【特許文献２】特開２００２−０３５３７６号公報
【特許文献３】特開２０１１−１７２８７３号公報
【発明の概要】
【発明が解決しようとする課題】
【０００６】
ここで、裏ユニットの遊技盤への取り付けにあたっては、通常、裏面を上に向けた遊技盤を作業台に載置した後、遊技盤への取付面を下に向けた裏ユニットを遊技盤の裏面に取り付ける。そして、前記した特許文献１のパチンコ遊技機では、裏ユニットの遊技盤への取付途中又は取付後に、遊技盤の電気部品に接続された配線の他端を裏ユニットの貫通孔に挿通して裏ユニットの外側に引き出すことになる。しかし、裏ユニットには演出可動物等の遊技部品が搭載されるため、配線を貫通孔に挿通しようとする際に、貫通孔の手前で配線が遊技部品に引っ掛かって、配線を裏ユニットの外側に引き出すことが困難になる虞があった。
【０００７】
一方、特許文献２，３のパチンコ遊技機では、裏面を上に向けた遊技盤を作業台に載置した後、遊技盤の電気部品に接続された配線を遊技盤の裏面の配線収納溝に収容しながら配線の他端を裏ユニットの取付位置よりも外側に引き出し、その後、遊技盤の裏面に裏ユニットを取り付けることになる。しかし、配線に曲がり癖が付いていた場合などに、配線が浮き上がって配線収容溝から飛び出し、裏ユニットの取付時に遊技盤との間に配線を挟み込んで配線を損傷させる虞があった。
【０００８】
本発明は、このような事情に鑑みてなされたものであり、遊技盤の電気部品から延びる配線を裏ユニットの外側の電気部品に接続するために裏ユニットの外側に引き出すにあたって、円滑に配線の引き出し作業を行うことができ、かつ、配線を遊技者から隠して遊技盤の美観も保つことができるパチンコ遊技機を提供することを目的とする。
【課題を解決するための手段】
【０００９】
かかる課題を解決するために、本発明の請求項１に係る発明は、遊技盤と、該遊技盤に設けられる第１の電気部品と、前記遊技盤の裏面側に取り付けられる裏ユニットと、該裏ユニットの外側に設けられる第２の電気部品とを備え、前記第１の電気部品から前記遊技盤の裏面側に延出する配線を前記裏ユニットの内側から外側に引き出して前記第２の電気部品に接続するパチンコ遊技機において、前記裏ユニットには、該裏ユニットの外縁から内側方向に延設されて前記遊技盤側の面が開口する溝部と、該溝部の前記開口の少なくとも一部を覆う蓋部と、前記溝部における前記裏ユニットの内側方向の端部に設けられる配線入口部と、前記溝部における前記配線入口部が設けられる側の端部と反対側の端部に設けられ、前記裏ユニットの外縁に開口する配線出口部と、を有する配線挿通部を備えており、前記第１の電気部品から前記遊技盤の裏面側に延出する前記配線が、前記配線挿通部の前記配線入口部から挿入されて前記溝部内を通り、前記配線出口部から前記裏ユニットの外側に引き出されて前記第２の電気部品に接続されるパチンコ遊技機としたことを特徴とする。
【００１０】
請求項１に係る発明によれば、第１の電気部品から遊技盤の裏面側に延出する配線を裏ユニットの外側に引き出す際、溝部と蓋部を有する配線挿通部に通して配線を裏ユニットの内側から外縁に案内することで、配線を遊技部品から隔離すると同時に配線の挙動を規制することができ、配線の引き出し作業の過程で配線が遊技部品に引っ掛かるのを防止することができる。また、蓋部により溝部の遊技盤側の面の少なくとも一部を覆うことで、裏ユニットの表裏を反転させた状態で配線を配線挿通部に通す際に、蓋部が配線通路の底面となって配線を支持することができ、配線挿通部から配線が落下しないため、配線の引き出し作業を円滑に行うことができる。また、配線挿通部を裏ユニットに設けるため、裏ユニットの遊技盤への取付作業の際に、遊技盤に配線が設けられた場合のように配線が浮き上がって配線挿通部から飛び出すことがなく、配線の挟み込みを防止することができる。
【００１１】
また、本発明の請求項２に係る発明は、遊技盤と、該遊技盤に設けられる第１の電気部品と、前記遊技盤の裏面側に取り付けられる裏ユニットと、該裏ユニットの外側に設けられる第２の電気部品とを備え、前記第１の電気部品から前記遊技盤の裏面側に延出する配線を前記裏ユニットの内側から外側に引き出して前記第２の電気部品に接続するパチンコ遊技機において、前記裏ユニットには、該裏ユニットの外縁から内側方向に延設された筒状部と、該筒状部における前記裏ユニットの内側方向の端部に設けられる配線入口部と、前記筒状部における前記配線入口部が設けられる側の端部と反対側の端部に設けられ、前記裏ユニットの外縁に開口する配線出口部と、を有する配線挿通部を備えており、前記第１の電気部品から前記遊技盤の裏面側に延出する前記配線が、前記配線挿通部の前記配線入口部から挿入されて前記筒状部内を通り、前記配線出口部から前記裏ユニットの外側に引き出されて前記第２の電気部品に接続されるパチンコ遊技機としたことを特徴とする。
【００１２】
請求項２に係る発明によれば、第１の電気部品から遊技盤の裏面側に延出する配線を裏ユニットの外側に引き出す際、筒状部を有する配線挿通部に通して配線を裏ユニットの内側から外縁に案内することで、配線を遊技部品から隔離すると同時に配線の挙動を規制することができ、配線の引き出し作業の過程で配線が遊技部品に引っ掛かるのを防止することができる。また、筒状部で遊技盤側の面を覆うことで、裏ユニットの表裏を反転させた状態で配線を配線挿通部に通す際に、筒状部の遊技盤側の面が配線通路の底面となって配線を支持することができ、配線挿通部から配線が落下しないため、配線の引き出し作業を円滑に行うことができる。また、配線挿通部を裏ユニットに設けるため、裏ユニットの遊技盤への取付作業の際に、遊技盤に配線が設けられた場合のように配線が浮き上がって配線挿通部から飛び出すことがなく、配線の挟み込みを防止することができる。また、配線を通す筒状部は、内部が一体的に形成されて隙間のない状態となっていることで、よりスムーズに配線を裏ユニットの外側に導くことができ、かつ、より確実に配線を遊技者から見えないように隠すことができる。
【００１３】
また、本発明の請求項３に係る発明は、請求項１又は２に記載の構成に加えて、前記溝部又は前記筒状部における前記配線入口部側の端面に壁部が設けられると共に、前記配線入口部が遊技盤側の面に開口して設けられており、前記壁部、又は、前記溝部若しくは前記筒状部における前記配線入口部の開口と対向する面に、前記配線入口部から挿入された前記配線を前記配線出口部方向に導く傾斜面部を有するパチンコ遊技機としたことを特徴とする。
【００１４】
請求項３に係る発明によれば、傾斜面部によってさらにスムーズに配線を裏ユニットの外側に導くことができる。
【図面の簡単な説明】
【００１５】
【図１】本発明の第１の実施の形態におけるパチンコ遊技機の遊技盤を示す概略正面図である。
【図２】同パチンコ遊技機の遊技盤を示す概略裏面図である。
【図３】同パチンコ遊技機の裏ユニットを示す正面図である。
【図４】図３から装飾部材を外した状態を示す正面図である。
【図５】（ａ）は同パチンコ遊技機の配線挿通部を示す概略正面図であり、（ｂ）は（ａ）のＡ−Ａ断面図であり、（ｃ）は（ａ）のＢ−Ｂ断面図である。
【図６】（ａ）は本発明の第２の実施の形態におけるパチンコ遊技機の配線挿通部を示す概略正面図であり、（ｂ）は（ａ）のＣ−Ｃ断面図であり、（ｃ）は（ａ）のＤ−Ｄ断面図である。
【図７】（ａ）は本発明の第３の実施の形態におけるパチンコ遊技機の配線挿通部を示す概略正面図であり、（ｂ）は（ａ）のＥ−Ｅ断面図であり、（ｃ）は（ａ）のＦ−Ｆ断面図である。
【図８】（ａ）は本発明の第４の実施の形態におけるパチンコ遊技機の配線挿通部を示す概略正面図であり、（ｂ）は（ａ）のＧ−Ｇ断面図であり、（ｃ）は（ａ）のＨ−Ｈ断面図である。
【図９】（ａ）は本発明の第５の実施の形態におけるパチンコ遊技機の配線挿通部を示す概略正面図であり、（ｂ）は（ａ）のＪ−Ｊ断面図であり、（ｃ）は（ａ）のＫ−Ｋ断面図である。
【図１０】（ａ）は本発明の第６の実施の形態におけるパチンコ遊技機の配線挿通部を示す概略正面図であり、（ｂ）は（ａ）のＭ−Ｍ断面図であり、（ｃ）は（ａ）のＮ−Ｎ断面図である。
【図１１】（ａ）は本発明の第１の実施の形態におけるパチンコ遊技機の配線挿通部の第１変形例を示す概略正面図であり、（ｂ）は（ａ）のＰ−Ｐ断面図であり、（ｃ）は（ａ）のＱ−Ｑ断面図である。
【図１２】（ａ）は同パチンコ遊技機の配線挿通部の第２変形例を示す概略正面図であり、（ｂ）は（ａ）のＲ−Ｒ断面図であり、（ｃ）は（ａ）のＳ−Ｓ断面図である。
【発明を実施するための形態】
【００１６】
以下、本発明の実施の形態におけるパチンコ遊技機について図面を参照しながら説明する。なお、以下の説明では、パチンコ遊技機を遊技者から見て、手前側をパチンコ遊技機の前側（前面側、前方）とし、奥側をパチンコ遊技機の裏側（裏面側、後方）として、前後方向を規定する。また、パチンコ遊技機を遊技者から見て、左手側をパチンコ遊技機の左側（左側方）とし、右手側をパチンコ遊技機の右側（右側方）として、左右方向を規定する。
［第１の実施の形態］
【００１７】
まず、本発明の第１の実施の形態におけるパチンコ遊技機の概略について、図１〜図４を用いて説明する。図１は、本発明の第１の実施の形態におけるパチンコ遊技機の遊技盤を示す概略正面図であり、図２は、同パチンコ遊技機の遊技盤を示す概略裏面図であり、図３は、同パチンコ遊技機の裏ユニットを示す正面図であり、図４は、図３から装飾部材を外した状態を示す正面図である。
【００１８】
本実施の形態のパチンコ遊技機では、図１及び図２に示すように、遊技盤１０の周辺の若干の領域を除く中央部が遊技領域１１となっている。この遊技領域１１は、略円形のガイドレール１２に囲まれるように構成されており、このガイドレール１２は、図１の下側から左肩側にかけて外側レール１２Ａと内側レール１２Ｂを備え、パチンコ球を外側レール１２Ａと内側レール１２Ｂの間の通路を通して遊技領域１１の上方へ導くようになっている。
【００１９】
パチンコ球は、図示しない機枠に取り付けられた操作レバーによって駆動される打槌機構によって、図１の下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００２０】
遊技盤１０の遊技領域１１のほぼ中央の位置に、矩形状の開口１４が形成されている。遊技盤１０の裏面には、例えば、液晶表示器からなる画像表示装置１５が配置され、この画像表示装置１５の表示面１５Ａは前記開口１４を通して目視できるようになっている。画像表示装置１５は、例えば、パチンコ遊技の最中においてインフォメーションを表示し、あるいは入賞の際にその興奮を盛り上げさせるような工夫がされた画像を表示するようになっている。
【００２１】
遊技領域１１の画像表示装置１５の下部には、例えば、表示面１５Ａ（開口１４）の下辺に沿い遊技者側に若干突出するステージ１６が設けられている。このステージ１６の水平方向における中央部の下部には排出口（図示せず）が設けられており、パチンコ球は、表示面１５Ａ（開口１４）のたとえば左肩近傍からステージ１６に連結されるワープルート（図示せず）を通して該ステージ１６の上面に至った場合、パチンコ球はステージ１６上を揺動しながら排出口１７に落下できるようになっている。
【００２２】
また、遊技領域１１のステージ１６の下部には、始動口１８が設けられている。また、遊技領域１１の画像表示装置１５の右側には、大入賞口１９が設けられている。そして、始動口１８にパチンコ球が入賞した際に、画像表示装置１５の表示面１５Ａに表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。
【００２３】
また、画像表示装置１５の表示面１５Ａの右上部には、第１の電気部品として複数のＬＥＤランプを備えた発光基板３０が配置されている。この発光基板３０からは配線Ｌが延出しており、当該配線Ｌが後述する発光制御基板４０に接続されるようになっている。
【００２４】
また、大入賞口１９の下方には、パチンコ球が通過する挿通孔を有するゲート５０が配設されている。このゲート５０の後方には、ゲート５０をパチンコ球が通過したことを検知する第１の電気部品としてのゲートセンサ（図示せず）が突出して配置されており、ゲートセンサからは配線Ｌが遊技盤１０の裏面側に延出している。また、当該配線Ｌが後述するセンサ用の制御基板（図示せず）に接続されるようになっている。
【００２５】
なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００２６】
また、図３及び図４に示すように、遊技盤１０の後面側には、裏ユニット２０が取り付けられる。裏ユニット２０は、第２の電気部品としての発光制御基板４０、センサ用の制御基板（図示せず）など多くの部品が取り付けられる大型のユニットである。なお、発光制御基板４０及びセンサ用の制御基板は、裏ユニット２０の外側に配置されるようになっている。また、発光制御基板４０は、発光基板３０から延出してきた配線Ｌを接続するようになっており、センサ用の制御基板は、ゲートセンサから延出してきた配線Ｌを接続するようになっている。
【００２７】
また、裏ユニット２０の右側の外縁２３に接する部分には、発光基板３０と発光制御基板４０を接続している配線Ｌ及びゲートセンサとセンサ用の制御基板を接続している配線Ｌを挿通する配線挿通部１００が設けられている。なお、本実施の形態の配線挿通部１００は、図３及び図４に示すように、裏ユニット２０に配置された装飾カバー部材２１の後方に位置し、大入賞口１９から延びる球通路２２を形成する部材と一体に形成されている。
【００２８】
以下、配線挿通部１００について、図５を用いて詳細に説明する。図５は本発明の第１の実施の形態におけるパチンコ遊技機の配線挿通部１００を示す図であり、（ａ）は当該配線挿通部１００を示す概略正面図であり、（ｂ）は（ａ）のＡ−Ａ断面図であり、（ｃ）は（ａ）のＢ−Ｂ断面図である。
【００２９】
本実施の形態の配線挿通部１００は、第１の電気部品としての発光基板３０から遊技盤１０の裏面側に延出する配線Ｌを裏ユニット２０の内側から外側に引き出して第２の電気部品としての発光制御基板４０に接続すると共に、第１の電気部品としてのゲートセンサから遊技盤１０の裏面側に延出する配線Ｌを裏ユニット２０の内側から外側に引き出して第２の電気部品としてのセンサ用の制御基板（図示せず）に接続するために、配線Ｌを挿通するものであり、溝部１１０と、蓋部１２０と、配線入口部１３０と、配線出口部１４０とを備えている。
【００３０】
溝部１１０は、裏ユニット２０の外縁２３から内側方向（ここでは、右側外縁から左内側方向）に延設されており、遊技盤１０側（パチンコ遊技機の前面側）の面が開口した断面視略コ字状の長細い方形部材となっている。
【００３１】
また、溝部１１０の遊技盤１０側の開口の少なくとも一部を覆う蓋部１２０を備えている。この蓋部１２０は溝部１１０に挿通された配線Ｌがバタついて溝部１１０から飛び出したり、組み付け時に遊技盤１０の表面を下方にして載置した際に溝部１１０から配線Ｌが落下したりしないように、配線Ｌを保持するものである。なお、本実施の形態では、蓋部１２０は裏ユニット２０に配設された装飾部材の一部を構成している。
【００３２】
また、溝部１１０における裏ユニット２０の内側方向の端部には、内側方向に壁部１１１が設けられていると共に、配線入口部１３０が設けられている。この配線入口部１３０は、配線Ｌが溝部１１０内に挿入されるように開口した箇所であり、本実施の形態の配線入口部１３０は溝部１１０の開口と同様に遊技盤１０側に開口しており、配線Ｌが遊技盤１０側から溝部１１０に挿入されるようになっている。なお、本実施の形態の配線入口部１３０は、図１及び図２に示すゲート５０において後方に突出するゲートセンサ（図示せず）を収納するゲートセンサ収納部を兼ねている。そして、前方に当該ゲート５０があることにより、配線入口部１３０及び当該配線入口部１３０から溝部１１０に挿入される配線Ｌが、遊技者側から見えないように目隠しされるようになっている。
【００３３】
また、溝部１１０における配線入口部１３０が設けられる内側方向の端部と反対側の端部には、配線出口部１４０が設けられている。この配線出口部１４０は、裏ユニット２０の右側外縁２３に開口しており、溝部１１０内を通ってきた配線Ｌをここから裏ユニット２０の外側に引き出すようになっている。そして、配線出口部１４０から引き出された配線Ｌは、裏ユニットの外側かつ裏面側に配置された発光制御基板４０、センサ用の制御基板に接続されるようになっている。
［第２の実施の形態］
【００３４】
次に、本発明の第２の実施の形態に係るパチンコ遊技機について説明する。なお、本実施の形態のパチンコ遊技機は、下記の配線挿通部２００に関する構成以外は、前記した第１の実施の形態と同様であるので、同様の構成に同じ符号を付して、説明を省略する。
【００３５】
以下、本実施の形態の配線挿通部２００について、図６を用いて詳細に説明する。図６は本発明の第２の実施の形態におけるパチンコ遊技機の配線挿通部２００を示す図であり、（ａ）は当該配線挿通部２００を示す概略正面図であり、（ｂ）は（ａ）のＣ−Ｃ断面図であり、（ｃ）は（ａ）のＤ−Ｄ断面図である。
【００３６】
本実施の形態の配線挿通部２００は、第１の電気部品としての発光基板３０、ゲートセンサから遊技盤１０の裏面側に延出する配線Ｌを裏ユニット２０の内側から外側に引き出して第２の電気部品としての発光制御基板４０、センサ用の制御基板に接続するために、配線Ｌを挿通するものであり、筒状部２１０と、配線入口部２３０と、配線出口部２４０とを備えている。
【００３７】
筒状部２１０は、第１の実施の形態の溝部１１０が遊技盤側に開口を有しているのに対し、遊技盤側に天井部２１３を有しており、この天井部２１３により、第１の実施の形態の溝部１１０と蓋部１２０が一体的に形成されて隙間のない状態と同様の状態を形成している。そして、この筒状部２１０は、裏ユニット２０の外縁２３から内側方向（ここでは、右側外縁から左内側方向）に延設された断面視略ロ字状の長細い方形部材となっている。このような構成により、筒状部２１０は挿通された配線Ｌがバタついて筒状部２１０から飛び出したり、組み付け時に遊技盤１０の表面を下方にして載置した際に筒状部２１０から配線Ｌが落下したりしないように、配線Ｌを覆って保持している。なお、本実施の形態では、筒状部２１０の遊技盤側の面は裏ユニット２０に配設された装飾部材の一部を構成している。
【００３８】
また、筒状部２１０における裏ユニット２０の内側方向の端部には、内側方向の端面に壁部２１１が設けられていると共に、配線入口部２３０が設けられている。この配線入口部２３０は、配線Ｌが筒状部２１０内に挿入されるように開口した箇所であり、本実施の形態の配線入口部２３０は遊技盤１０側に開口しており、配線Ｌが遊技盤１０側から筒状部２１０に挿入されるようになっている。なお、本実施の形態の配線入口部２３０は、図１及び図２に示すゲート５０において後方に突出するゲートセンサ（図示せず）を収納するゲートセンサ収納部を兼ねている。そして、前方に当該ゲート５０があることにより、配線入口部２３０及び当該配線入口部２３０から筒状部２１０に挿入される配線Ｌが、遊技者側から見えないように目隠しされるようになっている。
【００３９】
また、筒状部２１０における配線入口部２３０が設けられる内側方向の端部と反対側の端部には、配線出口部２４０が設けられている。この配線出口部２４０は、裏ユニット２０の右側外縁２３に開口しており、筒状部２１０内を通ってきた配線Ｌをここから裏ユニット２０の外側に引き出すようになっている。そして、配線出口部２４０から引き出された配線Ｌは、裏ユニットの外側かつ裏面側に配置された発光制御基板４０、センサ用の制御基板に接続されるようになっている。
［第３の実施の形態］
【００４０】
次に、本発明の第３の実施の形態に係るパチンコ遊技機について説明する。なお、本実施の形態のパチンコ遊技機は、下記の配線挿通部３００に関する構成以外は、前記した第１の実施の形態と同様であるので、同様の構成に同じ符号を付して、説明を省略する。
【００４１】
以下、本実施の形態の配線挿通部３００について、図７を用いて詳細に説明する。図７は本発明の第３の実施の形態におけるパチンコ遊技機の配線挿通部３００を示す図であり、（ａ）は当該配線挿通部３００を示す概略正面図であり、（ｂ）は（ａ）のＥ−Ｅ断面図であり、（ｃ）は（ａ）のＦ−Ｆ断面図である。
【００４２】
本実施の形態の配線挿通部３００は、第１の電気部品としての発光基板３０、ゲートセンサから遊技盤１０の裏面側に延出する配線Ｌを裏ユニット２０の内側から外側に引き出して第２の電気部品としての発光制御基板４０、センサ用の制御基板に接続するために、配線Ｌを挿通するものであり、溝部３１０と、蓋部３２０と、配線入口部３３０と、配線出口部３４０と、傾斜面部３５０とを備えている。
【００４３】
溝部３１０は、裏ユニット２０の外縁２３から内側方向（ここでは、右側外縁から左内側方向）に延設されており、遊技盤１０側（パチンコ遊技機の前面側）の面が開口した断面視略コ字状の長細い方形部材となっている。
【００４４】
また、溝部３１０の遊技盤１０側の開口の少なくとも一部を覆う蓋部３２０を備えている。この蓋部３２０は溝部３１０に挿通された配線Ｌがバタついて溝部３１０から飛び出したり、組み付け時に遊技盤１０の表面を下方にして載置した際に溝部３１０から配線Ｌが落下したりしないように、配線Ｌを保持するものである。なお、本実施の形態では、蓋部３２０は裏ユニット２０に配設された装飾部材の一部を構成している。
【００４５】
また、溝部３１０における裏ユニット２０の内側方向の端部には、内側方向の端面に壁部３１１が設けられていると共に、配線入口部３３０が設けられている。この配線入口部３３０は、配線Ｌが溝部３１０内に挿入されるように開口した箇所であり、本実施の形態の配線入口部３３０は溝部３１０の開口と同様に遊技盤１０側に開口しており、配線Ｌが遊技盤１０側から溝部３１０に挿入されるようになっている。なお、本実施の形態の配線入口部３３０は、図１及び図２に示すゲート５０において後方に突出するゲートセンサ（図示せず）を収納するゲートセンサ収納部を兼ねている。そして、前方に当該ゲート５０があることにより、配線入口部３３０及び当該配線入口部３３０から溝部３１０に挿入される配線Ｌが、遊技者側から見えないように目隠しされるようになっている。
【００４６】
また、溝部３１０における配線入口部３３０が設けられる内側方向の端部と反対側の端部には、配線出口部３４０が設けられている。この配線出口部３４０は、裏ユニット２０の右側外縁２３に開口しており、溝部３１０内を通ってきた配線Ｌをここから裏ユニット２０の外側に引き出すようになっている。そして、配線出口部３４０から引き出された配線Ｌは、裏ユニットの外側かつ裏面側に配置された発光制御基板４０、センサ用の制御基板に接続されるようになっている。
【００４７】
また、前記した壁部３１１又は溝部３１０における配線入口部３３０の開口と対向する対向面３１２に、対向面３１２に向けて下り傾斜となる傾斜面部３５０を有し、配線入口部３３０から挿入された配線Ｌを配線出口部３４０方向に導くように構成されている。本実施の形態では、壁部３１１と対向面３１２の間を結ぶように傾斜面部３５０が形成されており、この傾斜面部３５０の傾斜が配線出口部３４０に向かうように形成されている。
［第４の実施の形態］
【００４８】
次に、本発明の第４の実施の形態に係るパチンコ遊技機について説明する。なお、本実施の形態のパチンコ遊技機は、下記の配線挿通部４００に関する構成以外は、前記した第１の実施の形態と同様であるので、同様の構成に同じ符号を付して、説明を省略する。
【００４９】
以下、本実施の形態の配線挿通部４００について、図８を用いて詳細に説明する。図８は本発明の第４の実施の形態におけるパチンコ遊技機の配線挿通部４００を示す図であり、（ａ）は当該配線挿通部４００を示す概略正面図であり、（ｂ）は（ａ）のＧ−Ｇ断面図であり、（ｃ）は（ａ）のＨ−Ｈ断面図である。
【００５０】
本実施の形態の配線挿通部４００は、第１の電気部品としての発光基板３０、ゲートセンサから遊技盤１０の裏面側に延出する配線Ｌを裏ユニット２０の内側から外側に引き出して第２の電気部品としての発光制御基板４０、センサ用の制御基板に接続するために、配線Ｌを挿通するものであり、溝部４１０と、蓋部４２０と、配線入口部４３０と、配線出口部４４０と、傾斜面部の変形例としての曲面部４５０とを備えている。
【００５１】
溝部４１０は、裏ユニット２０の外縁２３から内側方向（ここでは、右側外縁から左内側方向）に延設されており、遊技盤１０側（パチンコ遊技機の前面側）の面が開口した断面視略コ字状の長細い方形部材となっている。
【００５２】
また、溝部４１０の遊技盤１０側の開口の少なくとも一部を覆う蓋部４２０を備えている。この蓋部４２０は溝部４１０に挿通された配線Ｌがバタついて溝部４１０から飛び出したり、組み付け時に遊技盤１０の表面を下方にして載置した際に溝部４１０から配線Ｌが落下したりしないように、配線Ｌを保持するものである。なお、本実施の形態では、蓋部４２０は裏ユニット２０に配設された装飾部材の一部を構成している。
【００５３】
また、溝部４１０における裏ユニット２０の内側方向の端部には、内側方向の端面に壁部４１１が設けられていると共に、配線入口部４３０が設けられている。この配線入口部４３０は、配線Ｌが溝部４１０内に挿入されるように開口した箇所であり、本実施の形態の配線入口部４３０は溝部４１０の開口と同様に遊技盤１０側に開口しており、配線Ｌが遊技盤１０側から溝部４１０に挿入されるようになっている。なお、本実施の形態の配線入口部４３０は、図１及び図２に示すゲート５０において後方に突出するゲートセンサ（図示せず）を収納するゲートセンサ収納部を兼ねている。そして、前方に当該ゲート５０があることにより、配線入口部４３０及び当該配線入口部４３０から溝部４１０に挿入される配線Ｌが、遊技者側から見えないように目隠しされるようになっている。
【００５４】
また、溝部４１０における配線入口部４３０が設けられる内側方向の端部と反対側の端部には、配線出口部４４０が設けられている。この配線出口部４４０は、裏ユニット２０の右側外縁２３に開口しており、溝部４１０内を通ってきた配線Ｌをここから裏ユニット２０の外側に引き出すようになっている。そして、配線出口部４４０から引き出された配線Ｌは、裏ユニットの外側かつ裏面側に配置された発光制御基板４０、センサ用の制御基板に接続されるようになっている。
【００５５】
また、前記した壁部４１１又は溝部４１０における配線入口部４３０の開口と対向する対向面４１２に、対向面４１２に滑らかに連続する円弧状の曲面部４５０を有し、配線入口部４３０から挿入された配線Ｌを配線出口部４４０方向に導くように構成されている。本実施の形態では、壁部４１１と対向面４１２の間を結ぶように曲面部４５０が形成されており、この曲面部４５０の傾斜が配線出口部４４０に向かうように形成されている。
［第５の実施の形態］
【００５６】
次に、本発明の第５の実施の形態に係るパチンコ遊技機について説明する。なお、本実施の形態のパチンコ遊技機は、下記の配線挿通部５００に関する構成以外は、前記した第１の実施の形態と同様であるので、同様の構成に同じ符号を付して、説明を省略する。
【００５７】
以下、本実施の形態の配線挿通部５００について、図９を用いて詳細に説明する。図９は本発明の第５の実施の形態におけるパチンコ遊技機の配線挿通部５００を示す図であり、（ａ）は当該配線挿通部５００を示す概略正面図であり、（ｂ）は（ａ）のＪ−Ｊ断面図であり、（ｃ）は（ａ）のＫ−Ｋ断面図である。
【００５８】
本実施の形態の配線挿通部５００は、第１の電気部品としての発光基板３０、ゲートセンサから遊技盤１０の裏面側に延出する配線Ｌを裏ユニット２０の内側から外側に引き出して第２の電気部品としての発光制御基板４０、センサ用の制御基板に接続するために、配線Ｌを挿通するものであり、溝部５１０と、蓋部５２０と、配線入口部５３０と、配線出口部５４０と、傾斜面部としての第１傾斜面部５５０と、第２傾斜面部５６０を備えている。
【００５９】
溝部５１０は、裏ユニット２０の外縁２３から内側方向（ここでは、右側外縁から左内側方向）に延設されており、遊技盤１０側（パチンコ遊技機の前面側）の面が開口した断面視略コ字状の長細い方形部材となっている。
【００６０】
また、溝部５１０の遊技盤１０側の開口の少なくとも一部を覆う蓋部５２０を備えている。この蓋部５２０は溝部５１０に挿通された配線Ｌがバタついて溝部５１０から飛び出したり、組み付け時に遊技盤１０の表面を下方にして載置した際に溝部５１０から配線Ｌが落下したりしないように、配線Ｌを保持するものである。なお、本実施の形態では、蓋部５２０は裏ユニット２０に配設された装飾部材の一部を構成している。
【００６１】
また、溝部５１０における裏ユニット２０の内側方向の端部には、内側方向の端面に第１壁部５１１が設けられていると共に、配線入口部５３０が設けられている。この配線入口部５３０は、配線Ｌが溝部５１０内に挿入されるように開口した箇所であり、本実施の形態の配線入口部５３０は溝部５１０の開口と同様に遊技盤１０側に開口しており、配線Ｌが遊技盤１０側から溝部５１０に挿入されるようになっている。なお、本実施の形態の配線入口部５３０は、図１及び図２に示すゲート５０において後方に突出するゲートセンサ（図示せず）を収納するゲートセンサ収納部を兼ねている。そして、前方に当該ゲート５０があることにより、配線入口部５３０及び当該配線入口部５３０から溝部５１０に挿入される配線Ｌが、遊技者側から見えないように目隠しされるようになっている。
【００６２】
また、溝部５１０における配線入口部５３０が設けられる内側方向の端部と反対側の端部には、配線出口部５４０が設けられている。この配線出口部５４０は、裏ユニット２０の右側外縁２３に開口しており、溝部５１０内を通ってきた配線Ｌをここから裏ユニット２０の外側に引き出すようになっている。そして、配線出口部５４０から引き出された配線Ｌは、裏ユニットの外側かつ裏面側に配置された発光制御基板４０、センサ用の制御基板に接続されるようになっている。
【００６３】
また、前記した第１壁部５１１又は溝部５１０における配線入口部５３０の開口と対向する対向面５１２に、対向面５１２に向けて下り傾斜となる第１傾斜面部５５０を有し、配線入口部５３０から挿入された配線Ｌを配線出口部５４０方向に導くように構成されている。本実施の形態では、第１壁部５１１と対向面５１２の間を結ぶように第１傾斜面部５５０が形成されており、この第１傾斜面部５５０の傾斜が配線出口部５４０に向かうように形成されている。
【００６４】
また、本実施の形態では、溝部５１０において上側に位置する第２壁部５１４と対向面５１２の間を結ぶように、対向面５１２に向けて下り傾斜となる第２傾斜面部５６０を有しており、配線入口部５３０から挿入された配線Ｌを溝部５１０の中央方向に導くように構成されている。この第２傾斜面部５６０は、配線入口部５３０から挿入された配線Ｌが第２壁部５１４方向に曲がってしまったときに、溝部５１０の中央方向に導き、ひいては配線出口部５４０方向に導くものである。
［第６の実施の形態］
【００６５】
次に、本発明の第６の実施の形態に係るパチンコ遊技機について説明する。なお、本実施の形態のパチンコ遊技機は、下記の配線挿通部６００に関する構成以外は、前記した第１の実施の形態と同様であるので、同様の構成に同じ符号を付して、説明を省略する。
【００６６】
以下、本実施の形態の配線挿通部６００について、図１０を用いて詳細に説明する。図１０は本発明の第６の実施の形態におけるパチンコ遊技機の配線挿通部６００を示す図であり、（ａ）は当該配線挿通部６００を示す概略正面図であり、（ｂ）は（ａ）のＭ−Ｍ断面図であり、（ｃ）は（ａ）のＮ−Ｎ断面図である。
【００６７】
本実施の形態の配線挿通部６００は、第１の電気部品としての発光基板３０、ゲートセンサから遊技盤１０の裏面側に延出する配線Ｌを裏ユニット２０の内側から外側に引き出して第２の電気部品としての発光制御基板４０、センサ用の制御基板に接続するために、配線Ｌを挿通するものであり、溝部６１０と、第１突出部６２１と第２突出部６２２からなる蓋部６２０と、配線入口部６３０と、配線出口部６４０とを備えている。
【００６８】
溝部６１０は、裏ユニット２０の外縁２３から内側方向（ここでは、右側外縁から左内側方向）に延設されており、遊技盤１０側（パチンコ遊技機の前面側）の面が開口した断面視略コ字状の長細い方形部材となっている。
【００６９】
また、溝部６１０の遊技盤１０側の開口の少なくとも一部を覆う蓋部６２０を備えている。この蓋部６２０は溝部６１０に挿通された配線Ｌがバタついて溝部６１０から飛び出したり、組み付け時に遊技盤１０の表面を下方にして載置した際に溝部６１０から配線Ｌが落下したりしないように、配線Ｌを保持するものである。なお、本実施の形態では、蓋部６２０は、パチンコ遊技機の上方から突出した第１突出部６２１と、パチンコ遊技機の下方から突出した第２突出部６２２が互いに所定の間隙を持って重なるように構成されており、前記した第１〜第５の実施の形態のように、完全に溝部を塞ぐことなく、配線Ｌを抑えることができるようになっている。
【００７０】
また、溝部６１０における裏ユニット２０の内側方向の端部には、内側方向の端面に壁部６１１が設けられていると共に、配線入口部６３０が設けられている。この配線入口部６３０は、配線Ｌが溝部６１０内に挿入されるように開口した箇所であり、本実施の形態の配線入口部６３０は溝部６１０の開口と同様に遊技盤１０側に開口しており、配線Ｌが遊技盤１０側から溝部６１０に挿入されるようになっている。なお、本実施の形態の配線入口部６３０は、図１及び図２に示すゲート５０において後方に突出するゲートセンサ（図示せず）を収納するゲートセンサ収納部を兼ねている。そして、前方に当該ゲート５０があることにより、配線入口部６３０及び当該配線入口部６３０から溝部６１０に挿入される配線Ｌが、遊技者側から見えないように目隠しされるようになっている。
【００７１】
また、溝部６１０における配線入口部６３０が設けられる内側方向の端部と反対側の端部には、配線出口部６４０が設けられている。この配線出口部６４０は、裏ユニット２０の右側外縁２３に開口しており、溝部６１０内を通ってきた配線Ｌをここから裏ユニット２０の外側に引き出すようになっている。そして、配線出口部６４０から引き出された配線Ｌは、裏ユニットの外側かつ裏面側に配置された発光制御基板４０、センサ用の制御基板に接続されるようになっている。
【００７２】
以上のように、前記した第１，第３〜第６の実施の形態のパチンコ遊技機は、遊技盤１０と、該遊技盤１０に設けられる発光基板（第１の電気部品）３０、ゲートセンサ（第１の電気部品）と、前記遊技盤１０の裏面側に取り付けられる裏ユニット２０と、該裏ユニット２０の外側に設けられる発光制御基板（第２の電気部品）４０、センサ用の制御基板（第２の電気部品）とを備え、前記発光基板（第１の電気部品）３０、ゲートセンサ（第１の電気部品）から前記遊技盤１０の裏面側に延出する配線Ｌを前記裏ユニット２０の内側から外側に引き出して前記発光制御基板（第２の電気部品）４０、センサ用の制御基板（第２の電気部品）に接続するパチンコ遊技機において、前記裏ユニット２０には、該裏ユニット２０の外縁２３から内側方向に延設されて前記遊技盤１０側の面が開口する溝部１１０，３１０，４１０，５１０，６１０と、該溝部１１０，３１０，４１０，５１０，６１０の前記開口の少なくとも一部を覆う蓋部１２０，３２０，４２０，５２０，６２０と、前記溝部１１０，３１０，４１０，５１０，６１０における前記裏ユニット２０の内側方向の端部に設けられる配線入口部１３０，３３０，４３０，５３０，６３０と、前記溝部１１０，３１０，４１０，５１０，６１０における前記配線入口部１３０，３３０，４３０，５３０，６３０が設けられる側の端部と反対側の端部に設けられ、前記裏ユニット２０の外縁２３に開口する配線出口部１４０，３４０，４４０，５４０，６４０と、を有する配線挿通部１００，３００，４００，５００，６００を備えており、前記発光基板（第１の電気部品）３０、ゲートセンサ（第１の電気部品）から前記遊技盤１０の裏面側に延出する前記配線Ｌが、前記配線挿通部１００，３００，４００，５００，６００の前記配線入口部１３０，３３０，４３０，５３０，６３０から挿入されて前記溝部１１０，３１０，４１０，５１０，６１０内を通り、前記配線出口部１４０，３４０，４４０，５４０，６４０から前記裏ユニット２０の外側２３に引き出されて前記発光制御基板（第２の電気部品）４０、センサ用の制御基板（第２の電気部品）に接続されるパチンコ遊技機としたことを特徴とする。
【００７３】
そして、第１，第３〜第６の実施の形態によれば、発光基板（第１の電気部品）３０、ゲートセンサ（第１の電気部品）から遊技盤１０の裏面側に延出する配線Ｌを裏ユニット２０の外側に引き出す際、溝部１１０，３１０，４１０，５１０，６１０と蓋部１２０，３２０，４２０，５２０，６２０を有する配線挿通部１００，３００，４００，５００，６００に通して配線Ｌを裏ユニット２０の内側から外縁２３に案内することで、配線Ｌを遊技部品から隔離すると同時に配線Ｌの挙動を規制することができ、配線Ｌの引き出し作業の過程で配線Ｌが遊技部品に引っ掛かるのを防止することができる。また、蓋部１２０，３２０，４２０，５２０，６２０により溝部１１０，３１０，４１０，５１０，６１０の遊技盤１０側の面の少なくとも一部を覆うことで、裏ユニット２０の表裏を反転させた状態で配線Ｌを配線挿通部１００，３００，４００，５００，６００に通す際に、蓋部１２０，３２０，４２０，５２０，６２０が配線通路の底面となって配線Ｌを支持することができ、配線挿通部１００，３００，４００，５００，６００から配線Ｌが落下しないため、配線Ｌの引き出し作業を円滑に行うことができる。また、配線挿通部１００，３００，４００，５００，６００を裏ユニット２０に設けるため、裏ユニット２０の遊技盤１０への取付作業の際に、遊技盤１０に配線Ｌが設けられた場合のように配線Ｌが浮き上がって配線挿通部１００，３００，４００，５００，６００から飛び出すことがなく、配線Ｌの挟み込みを防止することができる。
【００７４】
また、第２の実施の形態のパチンコ遊技機は、遊技盤１０と、該遊技盤１０に設けられる発光基板（第１の電気部品）３０、ゲートセンサ（第１の電気部品）と、前記遊技盤１０の裏面側に取り付けられる裏ユニット２０と、該裏ユニット２０の外側に設けられる発光制御基板（第２の電気部品）４０、センサ用の制御基板（第２の電気部品）とを備え、前記発光基板（第１の電気部品）３０、ゲートセンサ（第１の電気部品）から前記遊技盤１０の裏面側に延出する配線Ｌを前記裏ユニット２０の内側から外側に引き出して前記発光制御基板（第２の電気部品）４０、センサ用の制御基板（第２の電気部品）に接続するパチンコ遊技機において、前記裏ユニット２０には、該裏ユニット２０の外縁２３から内側方向に延設された筒状部２１０と、該筒状部２１０における前記裏ユニット２０の内側方向の端部に設けられる配線入口部２３０と、前記筒状部２１０における前記配線入口部２３０が設けられる側の端部と反対側の端部に設けられ、前記裏ユニット２０の外縁２３に開口する配線出口部２４０と、を有する配線挿通部２００を備えており、前記発光基板（第１の電気部品）３０、ゲートセンサ（第１の電気部品）から前記遊技盤１０の裏面側に延出する前記配線Ｌが、前記配線挿通部２００の前記配線入口部２３０から挿入されて前記筒状部２１０内を通り、前記配線出口部２４０から前記裏ユニット２０の外側２３に引き出されて前記発光制御基板（第２の電気部品）４０、センサ用の制御基板（第２の電気部品）に接続されるパチンコ遊技機としたことを特徴とする。
【００７５】
そして、第２の実施の形態によれば、発光基板（第１の電気部品）３０、ゲートセンサ（第１の電気部品）から遊技盤１０の裏面側に延出する配線Ｌを裏ユニット２０の外側に引き出す際、筒状部２１０を有する配線挿通部２００に通して配線Ｌを裏ユニット２０の内側から外縁２３に案内することで、配線Ｌを遊技部品から隔離すると同時に配線Ｌの挙動を規制することができ、配線Ｌの引き出し作業の過程で配線Ｌが遊技部品に引っ掛かるのを防止することができる。また、筒状部２１０で遊技盤１０側の面を覆う（天井面２１３を有する）ことで、裏ユニット２０の表裏を反転させた状態で配線Ｌを配線挿通部２００に通す際に、筒状部２１０の遊技盤側の面（天井面２１３）が配線通路の底面となって配線Ｌを支持することができ、配線挿通部２００から配線Ｌが落下しないため、配線Ｌの引き出し作業を円滑に行うことができる。また、配線挿通部２００を裏ユニット２０に設けるため、裏ユニット２０の遊技盤１０への取付作業の際に、遊技盤１０に配線Ｌが設けられた場合のように配線Ｌが浮き上がって配線挿通部２００から飛び出すことがなく、配線Ｌの挟み込みを防止することができる。また、配線Ｌを通す筒状２１０部は、内部が一体的に形成されて隙間のない状態となっていることで、よりスムーズに配線Ｌを裏ユニット２０の外側に導くことができ、かつ、より確実に配線Ｌを遊技者から見えないように隠すことができる。
【００７６】
また、第３〜第５の実施の形態のパチンコ遊技機は、このような構成に加えて、前記溝部３１０，４１０，５１０における前記配線入口部３３０，４３０，５３０側の端面に壁部３１１，４１１，５１１が設けられると共に、前記配線入口部３３０，４３０，５３０が遊技盤１０側の面に開口して設けられており、前記壁部３１１，４１１，５１１又は前記溝部３１０，４１０，５１０における前記配線入口部３３０，４３０，５３０の開口と対向する面（対向面）３１２，４１２，５１２に、前記配線入口部３３０，４３０，５３０から挿入された前記配線Ｌを前記配線出口部３４０，４４０，５４０方向に導く傾斜面部３５０，５５０、曲面部４５０を有するパチンコ遊技機としたことを特徴とする。
【００７７】
第３〜第５の実施の形態によれば、傾斜面部３５０，５５０、曲面部４５０によってさらにスムーズに配線Ｌを裏ユニット２０の外側に導くことができる。
【００７８】
なお、以上説明した各実施の形態は、本発明の理解を容易にするために記載されたものであって、本発明を限定するために記載されたものではない。
【００７９】
例えば、前記した各実施の形態では、第１の電気部品として発光基板３０、ゲート５０のゲートセンサを例示し、第２の電気部品として制御基板４０、センサ用の制御基板を例示したが、本発明はこれに限るものではない。例えば、第１の電気部品としては、遊技盤に配置されて当該遊技盤の裏面側に配線が延出するようになっているものであれば、他のセンサ、基板、駆動装置等であっても良い。また、第２の電気部品としては、裏ユニットの外側に設けられていて第１の電気部品から延出した配線の他端を接続するものであれば、他の制御基板等であっても良い。
【００８０】
また、このような第１の電気部品及び第２の電気部品を複数組有していても良い。その場合、第１の電気部品及び第２の電気部品の１組毎に配線挿通部を有していても良いし、１つの配線挿通部に複数の配線を通すようになっていても良い。
【００８１】
また、前記した各実施の形態では、遊技盤が透明な部材で構成されるものであったが、本発明はこれに限るものではなく、不透明な部材で構成された遊技盤に適用しても良い。
【００８２】
また、前記した各実施の形態では、配線挿通部の蓋部は遊技盤を装飾する装飾部材を兼ねていたが、本発明はこれに限るものではなく、装飾部材を兼ねない蓋部で溝部を覆うようになっていても良い。また、筒状部の遊技盤側の面についても同様に、装飾部材を兼ねていても装飾部材を兼ねていないものでも良い。
【００８３】
また、前記した第３〜第５の実施の形態では、溝部と蓋部を有する第１の実施の形態のような配線挿通部に、傾斜面部や曲面部を形成したものを例に説明したが、本発明はこれに限るものではなく、第２の実施の形態のような筒状部を有する配線挿通部に、第３〜第５の実施の形態のような傾斜面部や曲面部を形成しても良い。
【００８４】
また、前記した各実施の形態では、配線入口部が遊技盤側の面に開口するように構成されていたが、本発明はこれに限るものではなく、配線入口部が遊技盤側の面以外の他の面（上面、下面、内側面）に開口していても良い。例えば、以下に記載するように、溝部の内側方向の端面に開口が設けられており、当該開口が配線入口部となっていても良い。この場合、以下に記載するうちの第１変形例のように、溝部の遊技盤側の面全体を蓋部で覆うようになっても良いし、以下に記載する内の第２変形例のように、溝部の遊技盤側の面の一部を蓋部で覆うようになっていても良い。また、以下では、溝部と蓋部を有する構成について説明するが、筒状部を有するものでも同様であり、筒状部の内側方向の端面に開口が設けられており、当該開口が配線入口部となっていても良い。以下、第１変形例及び第２変形例について、詳述する。
【００８５】
まず、第１変形例について説明する。この第１変形例は、前記した第１の実施の形態の変形例であり、図１１に示すように、配線挿通部７００が、溝部７１０と、蓋部７２０と、配線入口部７３０と、配線出口部７４０とを備えている。なお、この変形例は、下記の配線挿通部７００の蓋部７２０及び配線入口部７３０に関する構成以外は、前記した第１の実施の形態と同様であるので、蓋部７２０及び配線入口部７３０以外は説明を省略する。
【００８６】
この変形例の溝部７１０は、当該溝部７１０における裏ユニット２０の内側方向の端面に開口が設けられており、当該開口が配線入口部７３０となっている。また、この変形例の蓋部７２０は、溝部７１０の遊技盤１０側の面の開口を全て覆っており、溝部７１０の遊技盤１０側の面には全く開口がない状態となっている。そして、溝部７１０における裏ユニット２０の内側方向の端面に設けられた配線入口部７３０から配線Ｌを挿入して、当該配線Ｌが溝部７１０内を通り、配線出口部７４０から裏ユニット２０の外側に引き出されるようになっている。このように、蓋部７２０が溝部７１０の遊技盤側の面の開口を全て覆っていると、溝部７１０を通る配線Ｌが他の遊技部品から確実に隔離されるという利点を有する。
【００８７】
次に、第２変形例について説明する。この第２変形例も、前記した第１の実施の形態の変形例であり、図１２に示すように、配線挿通部８００が、溝部８１０と、蓋部８２０と、配線入口部８３０と、配線出口部８４０とを備えている。なお、この変形例は、下記の配線挿通部８００の蓋部８２０及び配線入口部８３０に関する構成以外は、前記した第１の実施の形態と同様であるので、蓋部８２０及び配線入口部８３０以外は説明を省略する。
【００８８】
この変形例の溝部８１０は、当該溝部８１０における裏ユニット２０の内側方向の端面に開口が設けられており、当該開口が配線入口部８３０となっている。また、この変形例の蓋部８２０は、前記した第１の実施の形態と同様に、溝部８１０の遊技盤１０側の面の開口の一部のみを覆っており、溝部８１０の遊技盤１０側の面には、配線入口部８３０側と配線出口部８４０側に開口を有している状態となっている。そして、溝部８１０における裏ユニット２０の内側方向の端面に設けられた配線入口部８３０から配線Ｌを挿入して、当該配線Ｌが溝部８１０内を通り、配線出口部８４０から裏ユニット２０の外側に引き出されるようになっている。このように、蓋部８２０が溝部８１０の遊技盤側の面の開口の一部のみを覆っている場合には、例えば配線入口部８３０と連通して遊技盤側の面が開口している場合に配線Ｌの挿入される方向や位置をある程度自由に設定できる、というように配線Ｌを挿通する際にある程度の自由度を有する構成とすることができる。
【符号の説明】
【００８９】
１０…遊技盤、２０…裏ユニット、３０…発光基板（第１の電気部品）、４０…発光制御基板（第２の電気部品）、５０…ゲート、１００，２００，３００，４００，５００，６００…配線挿通部、１１０，３１０，４１０，５１０，６１０…溝部、１１１，２１１，３１１，４１１，５１１，６１１…壁部、３１２，４１２，５１２…対向面（配線入口部の開口と対向する面）、１２０，３２０，４２０，５２０，６２０…蓋部、１３０，２３０，３３０，４３０，５３０，６３０…配線入口部、１４０，２４０，３４０，４４０，５４０，６４０…配線出口部、２１０…筒状部、３５０…傾斜面部、４５０…曲面部（傾斜面部）、５５０…第１傾斜面部（傾斜面部）、６２１…第１突出部、６２２…第２突出部、Ｌ…配線
【図１】
2013244262.tif 000003
【図２】
2013244262.tif 000004
【図３】
2013244262.tif 000005
【図４】
2013244262.tif 000006
【図５】
2013244262.tif 000007
【図６】
2013244262.tif 000008
【図７】
2013244262.tif 000009
【図８】
2013244262.tif 000010
【図９】
2013244262.tif 000011
【図１０】
2013244262.tif 000012
【図１１】
2013244262.tif 000013
【図１２】
2013244262.tif 000014